(57)【特許請求の範囲】
【請求項１】
緑化トレイを折板屋根の上に固定する緑化トレイの取付構造であって、
上記緑化トレイは、両方の側面に磁性体を取り付けた構造とされ、上記折板屋根の谷部に嵌合されて、上記磁性体が上記折板屋根の山部の尾根面に磁着されるようになっており、
上記磁性体は、上記緑化トレイの側部に螺合させたボルト体の先端に揺動自在に取り付けられて進退自在に配されていることを特徴とする、緑化トレイの取付構造。
【請求項２】
請求項１において、
上記緑化トレイの側面にスペーサ脚片が形成されていることを特徴とする、緑化トレイの取付構造。
【請求項３】
請求項１または２において、
上記緑化トレイの上端部に、該緑化トレイの開口部を覆う飛散防止体を係止するフックが形成されていることを特徴とする、緑化トレイの取付構造。
【発明の詳細な説明】
【技術分野】
【０００１】
本発明は、緑化トレイを折板屋根の上に固定する緑化トレイの取付構造に関する。
【背景技術】
【０００２】
近年、ヒートアイランド対策をはじめとする都市環境の改善のために、建築物の屋根上に植栽を行う屋上緑化技術が提案されている。その中でも最近では、山部および谷部を連続形成した折板屋根の上面に緑化トレイを敷き詰めるようにした緑化トレイの取付構造が提案されている（例えば、特許文献１参照）。
【０００３】
具体的には、従来の折板屋根に対する緑化トレイの取付構造は、折板屋根の互いに隣り合う山部に矩形状の緑化トレイを架設して、隣接する複数の緑化トレイを四隅等でボルト、ナットを用いて固定金具で押さえ込んで固定するものである。
【先行技術文献】
【特許文献】
【０００４】
【特許文献１】特開２００５−１０５５３６号公報
【発明の概要】
【発明が解決しようとする課題】
【０００５】
しかしながら、従来の緑化トレイの取付構造には、以下の問題があった。
【０００６】
すなわち、上記従来の緑化トレイの取付手順は、まず折板屋根の山部より突出したボルトの軸部を挟むように複数の緑化トレイを隣設してから、それらの緑化トレイの上端より突き出たボルトに平板状の固定金具を挿通し、その上からナットで螺合して、それらの緑化トレイの端部を押圧固定する手順となっており、取付作業には多大なる時間を要していた。
【０００７】
また、固定金具を４つの緑化トレイの隣接する隅部に取り付ける場合、すくなくとも４つの緑化トレイを並べた後でなければ固定作業はできないから、作業者は並べた緑化トレイを踏みつけないようにするために不安定な体勢で作業しなければならず、きわめて不便で効率の悪い作業を強いられていた。
【０００８】
さらに、緑化トレイは折板屋根の山部の上に架設するものであるから、緑化トレイを敷き詰めた後は屋根上での歩行スペースがなくなり、その後の保守等の作業がしにくくなるおそれがあった。
【０００９】
本発明は、このような問題を解決するために提案されたもので、その目的は、ボルト、ナット等の螺合による固定作業を必要とせずに、緑化トレイを簡単かつ強固に折板屋根の上に固定でき、なおかつ、緑化トレイを取り付けた後でも屋根上を歩行するのに不便のない、緑化トレイの取付構造を提供することにある。
【課題を解決するための手段】
【００１０】
上記目的を達成するために、請求項１に記載の緑化トレイの取付構造は、緑化トレイを折板屋根の上に固定する緑化トレイの取付構造であって、緑化トレイは、両方の側面に磁性体を取り付けた構造とされ、折板屋根の谷部に嵌合されて、磁性体が折板屋根の山部の尾根面に磁着されるようになっており、磁性体は、緑化トレイの側部に螺合させたボルト体の先端に揺動自在に取り付けられて進退自在に配されていることを特徴とする。
【００１１】
（削除）
【００１２】
（削除）
【００１３】
請求項２に記載の緑化トレイの取付構造は、緑化トレイの側面にスペーサ脚片が形成されていることを特徴とする。
【００１４】
請求項３に記載の緑化トレイの取付構造は、緑化トレイの上端部に、緑化トレイの開口部を覆う飛散防止体を係止するフックが形成されていることを特徴とする。
【発明の効果】
【００１５】
請求項１に記載の緑化トレイの取付構造によれば、磁性体を用いて緑化トレイを折板屋根に取り付ける構成であるため、ボルト、ナット等の螺合作業を必要とせず、緑化トレイを簡単、迅速かつ強固に折板屋根に取り付けることができる。
【００１６】
さらに、緑化トレイを折板屋根の谷部に嵌合させ磁性体を折板屋根の山部の尾根面に磁着取付する構成であるため、山部の頂部は緑化トレイで覆われることがなく、緑化トレイを敷き詰めた後でも山部の頂部を歩行でき、そのため保守作業等がしやすい。
【００１７】
また、磁性体が緑化トレイの側部に螺合させたボルト体の先端に取り付けられて進退自在となっているので、緑化トレイの取付（高さ）位置の調節を簡単に行える。
【００１８】
さらに、磁性体がボルト体に揺動自在に取り付けられているので、折板屋根の山部の尾根面に対する取付角度を調節でき、折板屋根や緑化トレイに寸法誤差がある場合にも容易に取り付けられる。
【００１９】
請求項２に記載の緑化トレイの取付構造によれば、緑化トレイの側面にスペーサ脚片が形成されているので、スペーサ脚片と磁性体とで緑化トレイを谷部に安定的に取り付けできる。
【００２０】
請求項３に記載の緑化トレイの取付構造によれば、緑化トレイの上端部に、緑化トレイの開口部を覆う飛散防止体を係止するフックが形成されているので、飛散防止体を確実に取り付けでき、トレイ内の植栽、土などの飛散の防止を図ることができる。
【図面の簡単な説明】
【００２１】
【図１】（ａ）は本発明の一実施形態に係る緑化トレイの取付構造の概略斜視図、（ｂ）は同概略平面図である。
【図２】（ａ）、（ｂ）は緑化トレイの取付構造の縦断面図である。
【図３】（ａ）、（ｂ）は緑化トレイの取付構造に使用される磁性体の磁着例を示す要部拡大縦断面図である。
【図４】（ａ）、（ｂ）は本発明の他の実施形態に係る緑化トレイの取付構造の縦断面図である。
【発明を実施するための形態】
【００２２】
以下に、本発明の実施の形態について、添付図面を参照しながら説明する。
【００２３】
図１（ａ）は本発明の一実施形態に係る緑化トレイの取付構造の概略斜視図、図１（ｂ）は同概略平面図である。
【００２４】
緑化トレイ１０の取付対象は、図１（ａ）に示しているように折板屋根４０である。
【００２５】
この折板屋根４０は鋼材等の磁性体で製され、山部４１と谷部４２が交互に連続した屋根であって、山部４１に、屋根材支持金具４５（図２参照）に設けた剣先ボルト４６が下方から貫通し、その屋根材支持金具４５に支持固定されている。
【００２６】
緑化トレイ１０は、合成樹脂等で製され、上方に開口部１３を有した矩形パン形状となっており、トレイ内空間に土等が収容され、種々の植物が植えられるようになっている。また、この緑化トレイ１０は、正面視では側部１１（側壁）が内側に傾斜し、底部１４よりも開口部１３が広くなった左右対称の台形形状をなしている。両方の側面１２のそれぞれの傾斜角度は、折板屋根４０の山部４１の対応する尾根面４１ｂの傾斜角度とほぼ同一である。
【００２７】
また、図１（ａ）、（ｂ）に示すように、緑化トレイ１０の傾斜した両方の側面１２には、複数の磁性体が取り付けられており（図例では円盤状の永久磁石２０が一側面に３箇所ずつ取り付けられている）、緑化トレイ１０を折板屋根４０の山部４１、４１間に形成された谷部４２の空間に嵌合して、永久磁石２０を折板屋根４０の山部４１の尾根面４１ｂに磁着させて取り付けるようにした、緑化トレイの取付構造となっている。
【００２８】
このような緑化トレイの取付構造によれば、永久磁石２０を用いて緑化トレイ１０を折板屋根４０に取付固定する構成であるため、ボルト、ナット等の螺合作業を必要とせず、緑化トレイ１０を簡単、迅速かつ強固に折板屋根４０に取り付けることができる。
【００２９】
さらに、緑化トレイ１０を折板屋根４０の谷部４２に嵌合させ、永久磁石２０を折板屋根４０の山部４１の尾根面４１ｂに磁着取付する構成であるため、山部４１の頂部４１ａは緑化トレイ１０で覆われることがなく、そのため緑化トレイ１０を敷き詰めた後でも山部４１の頂部４１ａを歩行でき、保守作業がしやすくなる。
【００３０】
なお、本明細書の２つの実施形態では、以下に説明するように永久磁石２０をボルト体３０（図２、図４参照）の先端に取り付けたものを例示しているが、永久磁石２０を緑化トレイ１０の側面に直接貼付固定したものでもよい。
【００３１】
ついで、図１に示した緑化トレイの取付構造の詳細について、図２、図３を参照しながら説明する。
【００３２】
図２（ａ）、（ｂ）は、図１の緑化トレイの取付構造の縦断面図である。この図２（ａ）、（ｂ）は緑化トレイ１０の取付手順を示している。図３（ａ）、（ｂ）は、図１の緑化トレイの取付構造に使用される永久磁石２０の磁着例を示す要部拡大縦断面図である。
【００３３】
緑化トレイ１０の傾斜した側面１２の上下には、長手方向に沿って突条片が形成されている。この突条片は、折板屋根４０の尾根面４１ｂと、緑化トレイ１０の側面１２との間に永久磁石２０を配するためのスペーサ脚片１５を構成している。なお、スペーサ脚片１５は長手方向に沿った突条片でなくてもよく、１つの突条片の代わりに複数の突起で構成してもよい。
【００３４】
また、緑化トレイ１０の両方の側部１１には永久磁石２０の取付位置に対応してボルト螺合孔１１ａが形成され、そのボルト螺合孔１１ａにはボルト体３０が螺着されており、側部１１の外側に突出したボルト体３０の先端に永久磁石２０が取り付けられて、ボルト体３０の螺進、螺退によって永久磁石２０が進退できる構成となっている。なお、本実施形態ではボルト体３０としてボルト頭３４に十字溝が形成された十字ボルトを使用している。
【００３５】
具体的には図３に示すように、永久磁石２０は、すくなくとも一方面２１（屋根に磁着させる取付面）が露出されるようにカバー体２５が被着されており、永久磁石２０の他方面２２と、その他方面２２を覆うカバー体２５の中央の膨出部２５ａとの間にボルト体３０の先端部が、膨出部２５ａに設けた孔部２５ｂを通じて装着されている。
【００３６】
ボルト体３０の先端部には、径をボルト本体部３３の径よりもやや小としたネック部３１を介して、径をカバー体２５の孔部２５ｂの径よりも大とするなどして孔部２５ｂから抜け出ない大きさとした装着体３２が設けられている。また、ネック部３１は孔部２５ｂに対し遊挿状態となっており、かつカバー体２５の厚さ寸法よりも長く形成されている。
【００３７】
したがって、このようにして永久磁石２０をボルト体３０の先端に取り付けることで、永久磁石２０はボルト体３０に対して揺動自在となる。なお、永久磁石２０を揺動自在とするには、ネック部３１のようなくびれを有さなくてもよく、少なくともボルト体３０がカバー体２５の孔部２５ｂに遊挿され、かつ装着体３２が外れないものであれば他の構造であってもよい。
【００３８】
このように、側面１２に永久磁石２０を設けた緑化トレイ１０は、まず図２（ａ）に示すように、折板屋根４０の山部４１の尾根面４１ｂに対して、緑化トレイ１０のスペーサ脚片１５の先端が接触されるように嵌合される。つまり、緑化トレイ１０は、緑化トレイ１０のスペーサ脚片１５を含む幅寸法に、山部４１の尾根面４１ｂの離間寸法が一致する部位間に嵌まり込んで支持される。
【００３９】
この状態では永久磁石２０は折板屋根４０の尾根面４１ｂに磁着しておらず、緑化トレイ１０はスペーサ脚片１５によって谷部空間に仮置きされた状態にあり、その後、ボルト体３０を螺進させることで、図２（ｂ）に示すように永久磁石２０が尾根面４１ｂに磁着して、緑化トレイ１０は折板屋根４０に固定される。
【００４０】
このように緑化トレイ１０にスペーサ脚片１５を設けた構成によれば、緑化トレイ１０の谷部４２への嵌合による設置がより安定し、永久磁石２０が外れることを防止でき、永久磁石２０による固定を補完できる。
【００４１】
また、緑化トレイ１０にスペーサ脚片１５がなく、永久磁石２０のみで緑化トレイ１０を取付固定する取付構造（後出の図４で例示）では、緑化トレイ１０は谷部４２への嵌合と同時に磁着固定されてしまうためその後の緑化トレイ１０の位置合わせがしにくくなるが、スペーサ脚片１５を有し、かつ永久磁石２０を進退自在とした本実施形態の構成であれば、いったん嵌合した後でも位置合わせを容易に行える。
【００４２】
また、図３に示してあるように、折板屋根４０の尾根面４１ｂと、緑化トレイ１０の側面１２とが傾斜角度に誤差があり両者が平行ではない場合でも、永久磁石２０がボルト体３０に対して揺動自在に取り付けられているため、永久磁石２０は尾根面４１ｂと磁力で引き合ったときにわずかに揺動して、尾根面４１ｂに磁着する。
【００４３】
このように永久磁石２０が揺動自在で、尾根面４１ｂに対する取付角度が磁着タイミングで自動調節される構成であるため、永久磁石２０が尾根面４１ｂに対して傾いた状態で磁着することはなく、確実、強固に磁着できる。よって、取り付けた後の緑化トレイ１０に風雨等の負荷がかかった場合でも、永久磁石２０が尾根面４１ｂから外れるおそれはほとんどない。
【００４４】
また、緑化トレイ１０は、そのトレイ内の両内側壁の上端部つまり開口部１３の幅方向の両端に、長手方向に沿って複数のフック１６を備えている。
【００４５】
このフック１６は、緑化トレイ１０の開口部１３を覆うネット状の飛散防止体Ｓを係止するためのものであり、これにより飛散防止体Ｓを確実に取り付けでき、トレイ内の植栽、土などの収容物の飛散を防止することができる。
【００４６】
つぎに、本発明の他の実施形態について図４を用いて説明する。
【００４７】
図４（ａ）、（ｂ）は他の実施形態に係る緑化トレイの取付構造の縦断面図である。図４（ａ）、（ｂ）は取付状態が相互に異なる２例を示す図である。なお、永久磁石の緑化トレイの側面に対する取付構造は図２、図３に示したものと同様であるため、図示および詳細な説明は省略する。
【００４８】
この実施形態における緑化トレイ１０は、スペーサ脚片１５（図２参照）を有していない。よって、緑化トレイ１０は永久磁石２０のみによって折板屋根４０の尾根面４１ｂに固定、支持される。
【００４９】
そのため、永久磁石２０と、緑化トレイ１０の側面より突き出たボルト体３０とが脚片代わりとなるから、図４（ａ）、（ｂ）に示すように、取り付けたボルト体３０の螺進の程度によって、緑化トレイ１０の取付（高さ）位置を異ならせることができる。
【００５０】
なお、図４に示した例では、緑化トレイ１０は飛散防止体Ｓ（図２参照）を係止するためのフックを有していないが、これを備えてもよい。
【００５１】
また、図４の実施形態では、緑化トレイ１０を安定的に取り付けるためには磁着面がより大きな永久磁石２０を用いることが望ましい。
【符号の説明】
【００５２】
１０      緑化トレイ
１１      側部
１１ａ      ボルト螺合孔
１２      側面
１３      開口部
１４      底部
１５      スペーサ脚片
１６      フック
２０      永久磁石（磁性体）
２１      一方面
２２      他方面
２５      カバー体
３０      ボルト体
３１      ネック部
３２      装着体
４０      折板屋根
４１      山部
４１ａ      頂部
４１ｂ      尾根面
４２      谷部
【図１】
0005572537.tif 000002
【図２】
0005572537.tif 000003
【図３】
0005572537.tif 000004
【図４】
0005572537.tif 000005